(57)【要約】【課題】ポロプリズムを構成する１つ又は複数の直角プリズムをハーフミラーやミラー等の平行平面板に置換する場合においてその平行平面板を正確な位置に保持することができる保持部材を提供する。【解決手段】第２型ポロプリズムを構成する３つの直角プリズム（１つの直角プリズムとその半分の大きさの２つの直角プリズム）のうちの最も入射側にある（小さい方の）直角プリズムと同じ三角柱状で同じ大きさの外形形状、且つ、３つの側面１ａ，１ｂ，１ｃのうちの互いに垂直に接する一対の正方形状の側面１ａ，１ｂの中心に、それぞれ、断面円形の貫通孔１ｄ，１ｅが垂直に穿たれている形状に、保持部材１を構成する。【選択図】　図２
2004029731.tif 000002
【特許請求の範囲】
【請求項１】
直角三角形の底面を持つとともに互いに垂直に接する一対の側面が長方形である三角柱状の外形形状を有し、前記一対の側面の略中心にはそれぞれ貫通孔が垂直に穿たれている
ことを特徴とする保持部材。
【請求項２】
直角三角形の底面を持つとともに互いに垂直に接する一対の側面が長方形である三角柱状の外形形状を有し、前記一対の側面の略中心を結ぶ貫通孔が残りの側面と平行に穿たれているとともに、前記残りの側面には前記一対の側面の略中心をそれぞれ通る２つの貫通孔が垂直に穿たれている
ことを特徴とする保持部材。
【請求項３】
前記各貫通孔の断面形状が、略円形形状である
ことを特徴とする請求項１又は２記載の保持部材。
【請求項４】
前記各貫通孔の断面形状が、多角形形状である
ことを特徴とする請求項１又は２記載の保持部材。
【請求項５】
前記各貫通孔の断面形状が、長方形形状である
ことを特徴とする請求項４記載の保持部材。
【請求項６】
金属材料から製造されている
ことを特徴とする請求項１乃至５の何れかに記載の保持部材。
【請求項７】
樹脂材料から製造されている
ことを特徴とする請求項１乃至５の何れかに記載の保持部材。
【発明の詳細な説明】
【０００１】
【発明の属する技術分野】
本発明は、ハーフミラーやミラー等の平行平面板を保持する保持部材に、関する。
【０００２】
【従来の技術】
近年、内視鏡の対物光学系により形成される広角な像をモニタ上に表示するとともに、その広角な像内から操作者によって選択された一部領域を別のモニタ上に拡大表示する撮影装置が、開発されつつある。
【０００３】
この種の撮影装置の中には、物体光の一部を拡大観察用の再結像光学系へ分岐するために像反転プリズムを備えているものがある。これは、像反転プリズムを光路に直交する面内で任意に移動することにより、分岐後の一方の光路を静止させつつ分岐後の他方の光路を分岐前の光路に対して任意な方向へ任意の量だけ平行にシフトすることが可能になるからである。この用途に用いられる像反転プリズムの中には、１つの直角プリズムとその半分の大きさの２つの直角プリズムとを組み合わせてなる第２型ポロプリズムのうちの最も入射側の（小さい方の）直角プリズムをハーフミラーに置換することによって光路を分岐する機能を兼ねたものが、含まれている。
【０００４】
【発明が解決しようとする課題】
上述したような光路分岐機能付きのポロプリズムにおいては、ハーフミラーで分岐されて各直角プリズムの反射面で折り曲げられた光路が、ハーフミラーを通過した光路に対して正確に平行となるためには、残りの直角プリズムの各反射面の位置との関係においてハーフミラーの部分反射面が正確な位置（すなわち、従来の第２型ポロプリズムを構成する３つの直角プリズムのうちの最も入射側にある直角プリズムの反射面の位置）に配置されていなければならない。
【０００５】
ところが、ハーフミラーが平行平面板であるために、残りの直角プリズムの各反射面の位置に対応した正確な位置にハーフミラーを保持することが困難であるという問題があった。然も、これは、何もハーフミラーにのみ生じる問題ではなく、例えば計量化のために何れかの直角プリズムを１枚又は２枚のミラーに置換する場合においても、起こり得る。
【０００６】
そこで、本発明の課題は、ポロプリズムを構成する１つ又は複数の直角プリズムをハーフミラーやミラー等の平行平面板に置換する場合においてその平行平面板を正確な位置に保持することができる保持部材を、提供することにある。
【０００７】
【課題を解決するための手段】
上記の課題を解決するために、本発明の第１の態様による保持部材は、以下のような構成を採用した。
【０００８】
すなわち、本発明の第１の態様による保持部材は、直角三角形の底面を持つとともに互いに垂直に接する一対の側面が長方形である三角柱状の外形形状を有し、前記一対の側面の略中心にはそれぞれ貫通孔が垂直に穿たれていることを、特徴としている。
【０００９】
本発明の第１の態様による保持部材がこのように構成されているので、この保持部材を、従来の第２型ポロプリズムを構成する３つの直角プリズムのうちの小さい方の直角プリズムと同じ大きさに形成し、この直角プリズムを配置すべき位置にこれと同じ向きで配置するとともに、この保持部材における互いに垂直に接する一対の側面に隣接する側面（斜面）に平行平面板を貼り付ければ、平行平面板を正確な位置に保持することができ、その結果、当該第２型ポロプリズムを、直角プリズムだけからなる従来の第２型ポロプリズムと同等に使用することができる。然も、平行平面板における保持部材に貼り付けられている側面に、部分反射コートが施されている場合、すなわち、平行平面板がハーフミラーである場合、当該ポロプリズムは、上述した光路分岐機能付きのポロプリズムとして使用することができる。
【００１０】
また、上記の課題を解決するために、本発明の第２の態様による保持部材は、以下のような構成を採用した。
【００１１】
すなわち、本発明の第２の態様による保持部材は、直角三角形の底面を持つとともに互いに垂直に接する一対の側面が長方形である三角柱状の外形形状を有し、前記一対の側面の略中心を結ぶ貫通孔が残りの側面と平行に穿たれているとともに、前記残りの側面には前記一対の側面の略中心をそれぞれ通る２つの貫通孔が垂直に穿たれていることを特徴としている。
【００１２】
本発明の第２の態様による保持部材がこのように構成されているので、この保持部材を、従来の第１型ポロプリズムを構成する２つの直角プリズムのうちの１つ（若しくは、従来の第２型ポロプリズムにおける大きい方の直角プリズム）と同じ大きさに形成し、この直角プリズムを配置すべき位置にこれと同じ向きで配置するとともに、この保持部材における互いに垂直に接する一対の側面に、それぞれ平行平面板を貼り付ければ、２つの平行平面板を正確な位置に保持することができ、その結果、当該ポロプリズムを、直角プリズムだけからなる従来の第１型ポロプリズム（若しくは第２型ポロプリズム）と同等に使用することができる。然も、保持部材に保持される２つの平行平面板のうちの１つが、第１型ポロプリズムの持つ４つの反射面のうちの最も入射側にある反射面として機能する場合において、この平行平面板がハーフミラーであると、当該第１型ポロプリズムは、上述した光路分岐機能付きのポロプリズムとして使用することができる。
【００１３】
なお、本発明の第１及び第２の態様による保持部材では、各貫通孔の断面形状が、円形形状であっても良いし、矩形形状であっても良いし、多角形形状であっても良い。
【００１４】
また、本発明の第１及び第２の態様による保持部材は、金属製であっても良いし、プラスチック製であっても良いし、その他の材料から製造されていても良いが、温度変化に対する体積の膨張率，強度，加工容易性，生産性，及び製造コスト等を考慮すると、金属製であることが望ましい。
【００１５】
【発明の実施の形態】
以下、図面に基づいて本発明の実施形態を説明する。
【００１６】
【実施形態１】
まず、図１（ａ）及び図１（ｂ）に、第１の実施形態による保持部材１の正面図及び底面図を、図１（ｃ）に、図１（ａ）のＡ−Ａ線に沿った縦断面図を、図１（ｄ）に、保持部材１の斜視図を、それぞれ示す。
【００１７】
図１に示されるように、保持部材１は、直角二等辺三角形を底辺に持つとともに互いに直角に接する一対の側面１ａ，１ｂが正方形である三角柱状の金属ブロックをベースとして、この金属ブロックにおける正方形状の一対の側面１ａ，１ｂの中心に、それぞれ、その面に垂直な円形の貫通孔１ｄ，１ｅが穿たれた形状に、形成されている。なお、図１（ａ）は、正方形状の一対の側面１ａ，１ｂのうち、一方の側面１ａを手前に向け、もう一方の側面１ｂを下方に向けた状態を、示している。以下では、一対の側面１ａ，１ｂを、それぞれ「第１平面」及び「第２平面」と言い、残りの斜めな側面１ｃを「斜面」と言う。
【００１８】
また、各貫通孔１ｄ，１ｅの直径は、互いに同じ大きさとなっているとともに、できるだけ大きく取られており、より詳細には、第１平面１ａと第２平面１ｂとの間、第１平面１ａと斜面１ｃとの間、及び、第２平面１ｂと斜面１ｃとの間にできる肉薄な部分（図１（ｃ）の断面図においてハッチングが施されている部分）の強度が最低限確保されるぎりぎりの大きさに、設定されている。なお、保持部材１におけるベースとなる金属ブロックは、例えばアルミニウムやステンレス等の材料からなる。この場合、２つの貫通孔１ｄ，１ｅは、切削加工や放電加工により形成される。また、保持部材１におけるベースは、ポリカーボネートやＡＢＳ樹脂などの樹脂材料から製造された樹脂ブロックであっても良い。この場合、２つの貫通孔１ｄ，１ｅは、切削加工や成型加工により成形される。
【００１９】
次に、図２に、上記保持部材１を利用した第２型ポロプリズム１０の斜視図を示す。この図２に示されるように、この第２型ポロプリズム１０は、保持部材１と、この保持部材１に対して２倍の大きさの外形を有する第１直角プリズム１１と、保持部材１と同じ大きさの外形を有する第２直角プリズム１２と、平行平面板であるハーフミラー１３とから、構成されている。
【００２０】
第１直角プリズム１１における互いに垂直に接した正方形状の一対の側面は、第２型ポロプリズム１０の第２反射面１０ｂ及び第３反射面１０ｃとして構成され、その斜面は、縦横比１：２の貼り合わせ面１１ａとして構成されている。この貼り合わせ面１１ａの片側半分には、保持部材１の第２平面１ｂが接着剤にて貼り付けられており、保持部材１の斜面１ｃは、この貼り合わせ面１１ａの一方の長辺に接し、この貼り合わせ面１１ａに対して４５度傾いている。
【００２１】
第２直角プリズム１２における互いに垂直に接した正方形状の一対の側面のうちの一方の側面は、第１直角プリズム１１の貼り合わせ面１１ａの残り半分に対して透明な接着剤で貼り付けられており、もう一方の側面は、貼り合わせ面１１ａの上記一方の長辺に接し、この貼り合わせ面１１ａに対して９０度起立している。そして、第２直角プリズム１２の斜面は、第２型ポロプリズム１０の第４反射面１０ｄとして構成されている。
【００２２】
ハーフミラー１３の一方の平面には、部分反射コートが施されており、もう一方の平面には、反射防止コートが施されている。そして、このハーフミラー１３の部分反射面が、保持部材１の斜面１ｃに接着剤にて貼り付けられている。
【００２３】
従って、上述した保持部材１によれば、従来の第２型ポロプリズムを構成する３つの直角プリズムのうちの最も入射側にある（小さい方の）直角プリズムをハーフミラー１３に置換する場合において、そのハーフミラー１３の部分反射面を第１反射面１０ａの位置に保持することができる。
【００２４】
その結果、当該第２型ポロプリズム１０は、３つの直角プリズムのみから構成される従来の第２型ポロプリズムと同等に機能することとなり、この第２型ポロプリズム１０の第１乃至第４反射面１０ａ〜１０ｄに順次折り曲げられて外部に出る図示せぬ光学系の光軸Ａｘ１は、当該第２型ポロプリズムに入射する前の光軸Ａｘと平行になる。
【００２５】
また、当該第２型ポロプリズム１０では、第１反射面１０ａが部分反射面として構成されており、然も、ハーフミラー１３が平行平面板であるために、ハーフミラー１３を通過した後の光軸Ａｘ２は、ハーフミラー１３に入射する前の光軸Ａｘと平行になる。
【００２６】
このように、ハーフミラー１３によって光軸Ａｘが分岐され、分岐後の２つの光軸Ａｘ１，Ａｘ２が互いに平行となるので、当該第２型ポロプリズム１０は、上述した光路分岐機能付きのポロプリズムとして使用することができる。
【００２７】
【実施形態２】
上記の説明では、保持部材１を第２型ポロプリズム１０に用いた例を示したが、この保持部材１は、第１型ポロプリズムに適用することも可能である。保持部材１を第１型ポロプリズムに用いた実施形態の斜視図を、図３及び図４に示す。
【００２８】
図３及び図４に示されるように、第２の実施形態である第１型ポロプリズム２０は、保持部材１と、この保持部材１と同じ大きさの外形を有する第１直角プリズム２１と、保持部材１に対して２倍の大きさの外形を有する第２直角プリズム２２と、平行平面板であるハーフミラー２３とから、構成されている。
【００２９】
第１直角プリズム２１における互いに垂直に接した正方形状の一対の側面のうちの一方の側面は、保持部材１の第２平面１ｂに接着剤で貼り付けられており、その斜面は、保持部材１の斜面１ｃと垂直に接している。そして、第１直角プリズム２１の斜面は、第１型ポロプリズム２０の第２反射面２０ｂとして構成されている。
【００３０】
第２直角プリズム２２の斜面は、縦横比１：２の貼り合わせ面２２ａとして構成されている。この貼り合わせ面２２ａの片側半分には、第１直角プリズム２１の一対の正方形状の側面のうちの保持部材１が貼り付けられていない方の側面が、透明な接着剤で貼り付けられており、第１直角プリズム２１の斜面が、この貼り合わせ面２２ａの一方の長辺に接し、この貼り合わせ面２２ａに対して４５度傾いている。そして、第２直角プリズム２２における互いに垂直に接した正方形状の一対の側面は、第１型ポロプリズム２０の第３反射面２０ｃ及び第４反射面２０ｄとして構成されている。
【００３１】
ハーフミラー２３は、第１の実施形態のハーフミラー１３と同様に、部分反射コート及び反射防止コートが施された各平面を有し、部分反射面は、保持部材１の斜面１ｃに接着剤にて貼り付けられている。
【００３２】
従って、上述した保持部材１によれば、従来の第１型ポロプリズムを構成する２つの直角プリズムのうちの入射側にある直角プリズムを、それの半分の大きさの第１直角プリズム２１とハーフミラー２３とに置換する場合において、そのハーフミラー２３の部分反射面を第１反射面２０ａの位置に保持することができる。
【００３３】
その結果、当該第１型ポロプリズム１０は、２つの直角プリズムのみから構成される従来の第１型ポロプリズムと同等に機能することとなる。また、第１の実施形態と同様に、ハーフミラー２３によって分岐されて当該第１型ポロプリズム２０の外部に出た光軸Ａｘ１，Ａｘ２は、分岐前の光軸Ａｘと平行になるので、当該第１型ポロプリズム２０も、上述した光路分岐機能付きのポロプリズムとして使用することができる。
【００３４】
なお、本実施形態に用いられた保持部材１を４つ組み合わせれば、第１型ポロプリズムを構成する２つの直角プリズム、又は、第２型ポロプリズムを構成する３つの直角プリズムを、４枚のミラーに置換することもできる。
【００３５】
【実施形態３】
まず、図５（ａ）及び図５（ｂ）に、第３の実施形態による保持部材２の正面図及び右側面図を、図５（ｃ）に、図５（ａ）のＢ−Ｂ線に沿った横断面図を、図５（ｄ）に、保持部材２の斜視図を、それぞれ示す。
【００３６】
この保持部材２は、簡単に説明すると、第１及び第２の実施形態の保持部材１を２つ接合した形状となるように、ベースとなる金属ブロック又は樹脂ブロックが削り込まれることによって、形成されたものである。
【００３７】
具体的に説明すると、保持部材２は、図５に示されるように、直角二等辺三角形を底辺に持つとともに互いに直角に接する一対の側面が正方形である三角柱状の金属ブロックをベースとして、この金属ブロックにおける縦横比１：２の側面２ａに対して円形の２つの貫通孔２ｄ，２ｅが垂直に穿たれているとともに、この側面２ａと平行な貫通孔２ｆが正方形状の一対の側面２ｂ，２ｃ同士を貫くように穿たれた形状に、形成されている。なお、図５（ａ）は、縦横比１：２の側面２ａを手前に向け、正方形状の一対の側面２ｂ，２ｃを左斜め奥及び右斜め奥へ向けた状態を、示している。以下では、手前に向けられた側面２ａを「平面」と言い、左斜め奥に向けられた側面２ｂを「第１斜面」と言い、右斜め奥へ向けられた側面２ｃを「第２斜面」と言う。
【００３８】
平面２ａに垂直に穿たれている２つの貫通孔２ｄ，２ｅは、平面２ａを２つの正方形に区分したときにおける各正方形の中心に穿たれており、互いに同じ直径を有している。また、平面２ａと平行に穿たれている貫通孔２ｆは、第１及び第２斜面２ｂ，２ｃの中心を貫くように穿たれており、その直径は、２つの貫通孔２ｄ，２ｅと同じ大きさとなっている。
【００３９】
また、各貫通孔２ｄ，２ｅ，２ｆの直径は、できるだけ大きく取られており、より具体的には、平面２ａと第１斜面２ｂとの間、平面２ａと第２斜面２ｃとの間、第１斜面２ｂと第２斜面２ｃとの間、及び、平面１ａの中央部分にできる肉薄な部分（図５（ｃ）の断面図においてハッチングが施されている部分）の強度が最低限確保されるぎりぎりの大きさに、設定されている。
【００４０】
なお、保持部材２におけるベースとなる金属ブロックは、第１の実施形態の保持部材１と同様に、例えばアルミニウムやステンレス等の材料からなる。この場合、３つの貫通孔２ｄ，２ｅ，２ｆは、切削加工や放電加工により形成される。
【００４１】
次に、図６及び図７に、上記保持部材２を利用した第１型ポロプリズム３０の斜視図を示す。この図６及び図７に示されるように、この第１型ポロプリズム３０は、保持部材２と、この保持部材２と同じ大きさの外形を有する直角プリズム３１と、平行平面板であるミラー３２及びハーフミラー３３とから、構成されている。
【００４２】
直角プリズム３１における互いに垂直に接した正方形状の一対の側面は、第１型ポロプリズム３０の第３反射面３０ｃ及び第４反射面３０ｄとして構成され、その斜面は、縦横比１：２の貼り合わせ面３１ａとして構成されている。この貼り合わせ面３１ａの片側半分には、保持部材２の平面２ａの片側（第２斜面２ｃに近接した側）半分が接着剤にて貼り付けられており、その平面２ａの長手方向は、貼り合わせ面３１ａの長手方向に対して９０度傾けられている。
【００４３】
ミラー３２の一方の平面は、反射面として構成され、この反射面は、保持部材２の第２斜面２ｃに接着剤で貼り付けられている。また、ハーフミラー３３は、第１の実施形態のハーフミラー１３と同様に、部分反射コート及び反射防止コートが施された各面を有し、部分反射面が、保持部材２の第１斜面２ｂに接着剤で貼り付けられている。
【００４４】
従って、上述した保持部材２によれば、従来の第１型ポロプリズムを構成する２つの直角プリズムのうちの入射側にある直角プリズムをミラー３２とハーフミラー３３とに置換する場合において、ハーフミラー３３の部分反射面及びミラー３２の反射面を第１反射面３０ａ及び第２反射面３０ｂの位置に保持することができる。
【００４５】
その結果、当該第１型ポロプリズム３０は、２つの直角プリズムのみから構成される従来の第１型ポロプリズムと同等に機能することとなる。また、第１の実施形態と同様に、ハーフミラー３３によって分岐されて当該第１型ポロプリズム３０の外部に出た光軸Ａｘ１，Ａｘ２は、分岐前の光軸Ａｘと平行になるので、当該第１型ポロプリズム３０も、上述した光路分岐機能付きのポロプリズムとして使用することができる。
【００４６】
なお、本実施形態に用いられた保持部材２を２つ組み合わせれば、第１型ポロプリズムを構成する２つの直角プリズムを、４枚のミラーに置換することもできる。また、第１及び第２の実施形態の保持部材１と第３の実施形態の保持部材２とを組み合わせて使用することもできる。
【００４７】
【実施形態４】
図８（ａ）及び図８（ｂ）に、第４の実施形態による保持部材３の正面図及び底面図を、図８（ｃ）に、図８（ａ）のＣ−Ｃ線に沿った縦断面図を、図８（ｄ）に、保持部材３の斜視図を、それぞれ示す。
【００４８】
この保持部材３は、簡単に説明すると、第１及び第２の実施形態の保持部材１と同じ三角柱状の外形形状を有しており、第１及び第２の実施形態との相違点として、貫通孔３ｄ，３ｅの断面が、正方形状に形成されている。
【００４９】
具体的に説明すると、保持部材３は、図８に示されるように、直角二等辺三角形を底辺に持つとともに互いに直角に接する一対の側面３ａ，３ｂが正方形である三角柱状の金属ブロックをベースとして、この金属ブロックにおける正方形状の一対の側面３ａ，３ｂの中心に、それぞれ、その面に垂直な正方形の貫通孔３ｄ，３ｅが穿たれた形状に、形成されている。なお、図８（ａ）は、正方形状の一対の側面３ａ，３ｂのうち、一方の側面３ａを手前に向け、もう一方の側面３ｂを下方に向けた状態を、示している。以下では、一対の側面３ａ，３ｂを、それぞれ「第１平面」及び「第２平面」と言い、残りの斜めな側面３ｃを「斜面」と言う。
【００５０】
また、各貫通孔３ｄ，３ｅの面積は、できるだけ大きく取られており、より詳細には、第１平面３ａと第２平面３ｂとの間、第１平面３ａと斜面３ｃとの間、及び、第２平面３ｂと斜面３ｃとの間にできる肉薄な部分（図８（ｃ）の断面図においてハッチングが施されている部分）の強度が最低限確保されるぎりぎりの大きさに、設定されている。なお、保持部材３におけるベースとなる金属ブロックは、例えばアルミニウムやステンレス等の材料からなる。この場合、２つの貫通孔３ｄ，３ｅは、切削加工や放電加工により形成される。また、保持部材３におけるベースは、ポリカーボネートやＡＢＳ樹脂などの樹脂材料から製造された樹脂ブロックであっても良い。この場合、２つの貫通孔３ｄ，３ｅは、切削加工や成型加工により成形される。
【００５１】
そして、このような形状を有する保持部材３を第２型ポロプリズム４０に用いた実施形態の斜視図を、図９に示す。この図９と第１の実施形態の説明に用いた図２とを比較して明らかなように、第４の実施形態の保持部材３は、第１の実施形態の保持部材１と同様に、従来の第２型ポロプリズムを構成する３つの直角プリズムのうちの最も入射側にある（小さい方の）直角プリズムをハーフミラー４３に置換する場合において、そのハーフミラー４３の部分反射面を、第２型ポロプリズムの第１反射面４０ａの位置に保持することができる。
【００５２】
その結果、当該第２型ポロプリズム４０は、３つの直角プリズムのみから構成される従来の第２型ポロプリズムと同等に機能することとなる。また、第１の実施形態と同様に、ハーフミラー４３によって分岐されて当該第２型ポロプリズム４０の外部に出た光軸Ａｘ１，Ａｘ２は、分岐前の光軸Ａｘと平行になるので、当該第２型ポロプリズム４０も、上述した光路分岐機能付きのポロプリズムとして使用することができる。
【００５３】
【発明の効果】
以上に説明したように、本発明によれば、ポロプリズムを構成する１つ又は複数の直角プリズムをハーフミラーやミラー等の平行平面板に置換する場合において、その平行平面板を正確な位置に保持することができる。
【図面の簡単な説明】
【図１】第１の実施形態による保持部材の（ａ）正面図と（ｂ）底面図と（ｃ）縦断面図と（ｄ）斜視図
【図２】第１の実施形態による保持部材を用いた第２型ポロプリズムの斜視図
【図３】第２の実施形態による保持部材を用いた第１型ポロプリズムの斜視図
【図４】第２の実施形態による保持部材を用いた第１型ポロプリズムの斜視図
【図５】第３の実施形態による保持部材の（ａ）正面図と（ｂ）右側面図と（ｃ）横断面図と（ｄ）斜視図
【図６】第３の実施形態による保持部材を用いた第１型ポロプリズムの斜視図
【図７】第３の実施形態による保持部材を用いた第１型ポロプリズムの斜視図
【図８】第４の実施形態による保持部材の（ａ）正面図と（ｂ）底面図と（ｃ）縦断面図と（ｄ）斜視図
【図９】第４の実施形態による保持部材を用いた第２型ポロプリズムの斜視図
【符号の説明】
１　　　　　　保持部材
１ａ　　　　　正面
１ｂ　　　　　底面
１ｃ　　　　　上面
１ｄ，１ｅ　　貫通孔
１０　　　　　　第２型ポロプリズム
１０ａ〜１０ｄ　第１乃至第４反射面
１１　　　　　　第１直角プリズム
１２　　　　　　第２直角プリズム
１３　　　　　　ハーフミラー
【図１】
2004029731.tif 000003
【図２】
2004029731.tif 000004
【図３】
2004029731.tif 000005
【図４】
2004029731.tif 000006
【図５】
2004029731.tif 000007
【図６】
2004029731.tif 000008
【図７】
2004029731.tif 000009
【図８】
2004029731.tif 000010
【図９】
2004029731.tif 000011